(57)【特許請求の範囲】
【請求項１】
軸方向の両端部に形成され電線が差し込まれる薄肉の電線差込口と、この電線差込口の間に一体的に形成された厚肉のパネル嵌合部と、前記電線差込口とパネル嵌合部とを連通し電線が挿通する電線挿通孔と、前記パネル嵌合部の外面における軸方向の略中央部分に形成されてパネルへの嵌合方向が異なる第１、第２の係合溝とを備え、前記第１、第２の係合溝は、パネルに当接する当接面と、この当接面よりも前記パネルへの嵌合方向側に当接面よりも低くなるように形成され当接面との間でパネルを挟み込む挟み凸部との間にそれぞれ異なった径に設けられて前記パネルの孔径が異なった複数の取付孔に対応し、逆方向からパネルの取付孔に挿入されることによりパネルに嵌合することを特徴とするグロメット。
【請求項２】
請求項１記載のグロメットであって、前記パネル嵌合部の内径は、前記電線差込口の内径よりも大きくなっていることを特徴とするグロメット。
【請求項３】
請求項１又は請求項２のいずれかに記載のグロメットであって、前記パネル嵌合部は、前記電線差込口から前記係合溝に向かって高くなるように傾斜する斜面部を有していることを特徴とするグロメット。
【発明の詳細な説明】
【０００１】
【発明の属する技術分野】
本発明は、ワイヤハーネスなどの電線を自動車等に配索する際に使用されるグロメットに関する。
【０００２】
【従来の技術】
ワイヤハーネスなどの電線をエンジンルームから車室内に引き込む際には、電線をダッシュボード等のパネルに貫通させる必要がある。又、電線を車内に引き込む場合にも、フロアパネルに電線を貫通させる必要がある。これらのパネル貫通部分の電線の保持を行うと共に防水性、防音性を確保するため、パネルにはグロメットが取り付けられる。
【０００３】
図４及び図５は、実開昭５９−４７１８１号公報に記載された従来のグロメット１，２を示す。これらのグロメット１，２は電線が挿通する電線挿通孔３が軸方向に貫通している筒状の本体部４と、本体部４の外面に間隔を有して設けられた複数の嵌合溝５，６，７とを有している。それぞれの嵌合溝５，６，７は、本体部４の外面に一対の凸部５ａ、６ａ、７ａをそれぞれ突出させ、これらの一対の凸部５ａ、６ａ、７ａに挟まれることによって設けられており、それぞれが自動車のパネルに形成されている取付孔（図示省略）に嵌合する。この嵌合によってグロメット１，２がパネルに固定される。
【０００４】
この嵌合溝５，６，７は本体部４内に形成した複数の段差８によって外側への突出量が異なっており、パネルの異なった孔径の取付孔のそれぞれに嵌合することができる。このため、単一のグロメット１，２により孔径が異なった取付孔に適用することが可能となっている。又、段差８によって嵌合溝５，６，７の突出量を異ならせているため、本体部４は凸部５ａ、６ａ、７ａを含めた全体が略均一の肉厚となっている。
【０００５】
【発明が解決しようとする課題】
しかしながら、これらの従来のグロメット１，２では、両端の嵌合溝５又は７をパネルの取付孔に嵌合させることは容易であるが、パネルへの挿入方向の前側に位置する嵌合溝を通り越して後側の嵌合溝をパネルの取付孔に嵌合させる場合には、前側の嵌合溝が邪魔となる。例えば、嵌合溝５側からパネルに挿入して嵌合溝６又は７をパネルの取付孔に嵌合させる場合には、嵌合溝５の凸部５ａがパネルに当たるため、取付孔への挿入の邪魔となる。このためパネルへの取り付け作業性が悪くなる。
【０００６】
又、複数の嵌合溝が本体部４の軸方向に間隔を有して設けられているため、両端の嵌合溝５又は７をパネルに嵌合させた場合には、パネルを中心として一方側が短く、他方側が長くなってパネルに固定される。このため、重量バランスが悪く、安定性が悪いものとなる。これに加えて、本体部４が略均一の肉厚となっているため、両端の嵌合溝５又は７をパネルに嵌合させた場合、パネルに嵌合していない嵌合溝側が垂れ易く、これにより電線への密着性が低下し、良好な防水及び防音を行うことができない問題も発生する。
【０００７】
そこで本発明は、径が異なるパネルの複数の取付孔への取り付けが可能であっても、取り付け作業性を向上させることができると共に、良好な安定性でパネルに固定することができ、さらには確実に防水及び防音を行うことが可能なグロメットを提供することを目的とする。
【０００８】
【課題を解決するための手段】
上記目的を達成するため、請求項１の発明は、軸方向の両端部に形成され電線が差し込まれる薄肉の電線差込口と、この電線差込口の間に一体的に形成された厚肉のパネル嵌合部と、前記電線差込口とパネル嵌合部とを連通し電線が挿通する電線挿通孔と、前記パネル嵌合部の外面における軸方向の略中央部分に形成されてパネルへの嵌合方向が異なる第１、第２の係合溝とを備え、前記第１、第２の係合溝は、パネルに当接する当接面と、この当接面よりも前記パネルへの嵌合方向側に当接面よりも低くなるように形成され当接面との間でパネルを挟み込む挟み凸部との間にそれぞれ異なった径に設けられて前記パネルの孔径が異なった複数の取付孔に対応し、逆方向からパネルの取付孔に挿入されることによりパネルに嵌合することを特徴とする。
【０００９】
この発明では、パネル嵌合部の外面に形成された２つの係合溝がパネルの孔径が異なった取付孔に対応しているため、複数の孔径の取付孔に適合させることができる。この係合溝はパネルに対してそれぞれ逆方向から挿入されることによりパネルに嵌合する。すなわち、一方の係合溝をパネルに嵌合させる方向に対し、他方の係合溝をパネルに嵌合させる場合には、グロメットを反転させた逆方向からパネルの取付孔に挿入することによってパネルと嵌合する。このように２つの係合溝の嵌合方向が異なっているため、一方の係合溝をパネルに嵌合させる際に、他方の係合溝が邪魔となることがない。従って、パネルへの取り付け作業性が向上する。
【００１０】
又、２つの係合溝はパネル嵌合部の軸方向の略中央部分に設けられており、どちらの係合溝をパネルに嵌合させても、グロメットはパネル嵌合部の略中央部分でパネルに固定される。従って、パネルを中心とした両側の重量バランスが良く、安定した固定を行うことができる。
【００１１】
さらに、電線が差し込まれる両端の電線差込口は、パネル嵌合部よりも薄肉となっているため、軽量であると共に大きなフレキシブル性を有している。このため、電線差込口が垂れ下がることがないと共に、電線に密着した状態のままで電線の屈曲、振動や変位に追従することができ、防水及び防音を確実に行うことができる。
また、この発明では、パネルの取付孔に係合溝を挿入することにより、当接面と挟み凸部とによってパネルを挟み込むことによりパネルに嵌合することができる。このとき、挟み凸部はパネルを当接面に押し付けるため、パネルに強固に嵌合することができ、安定した固定を行うことができる。
また、挟み凸部はパネルへの嵌合方向側に設けられているため、パネルへの嵌合の際には、挟み凸部が、まずパネルの取付孔に挿入され、その後、挟み凸部及び当接面によってパネルを挟む。このとき挟み凸部は当接面よりも低くなっているため、パネルの取付孔に容易に入り込むことができる。従って、パネルへの取り付け作業性が向上する。
【００１２】
請求項２の発明は、請求項１記載の発明であって、前記パネル嵌合部の内径は、前記電線差込口の内径よりも大きくなっていることを特徴とする。
【００１３】
この発明では、パネル嵌合部の内径が大きいため、電線挿通孔に挿通した電線との間に空間部分ができる。この空間部分は電線から伝達される振動を減衰させるように作用する。このため、防音性が向上する。
【００１７】
請求項３の発明は、請求項１又は請求項２に記載の発明であって、前記パネル嵌合部は、前記電線差込口から前記係合溝に向かって高くなるように傾斜する斜面部を有していることを特徴とする。
【００１８】
この発明では、斜面部が電線差込口から係合溝に向かって高くなるように傾斜していることにより、パネルの取付孔に挿入させる際のガイドとなる。このためパネルへの取り付けを円滑に行うことができる。
【００１９】
【発明の実施の形態】
図１は本発明の一実施形態のグロメット１１の正面図、図２はそのＡ−Ａ線断面図、図３は図２のＤ部拡大断面図である。この実施形態のグロメット１１は、軸方向の略中央部分にパネル嵌合部１２が設けられると共に、軸方向の両端部に電線差込口１３，１４が一体的に設けられ、さらに電線１８が挿通する電線挿通孔１５がパネル嵌合部１２及び電線差込口１３，１４にかけて連通することによって構成されている。このグロメット１１はゴム、エラストマ或いは弾性樹脂によって全体が形成されるものである。
【００２０】
パネル嵌合部１２は厚肉となっており、その外面の軸方向の略中央部分には、パネル１９に嵌合する左右２つの第１及び第２の係合溝１６，１７が設けられている。２つの係合溝１６，１７はパネル嵌合部１２の全周にかけて窪み状に形成されている。これらの係合溝１６，１７は、パネル１９に形成されている孔径が異なった取付孔２０（図示する形態では、第１の係合溝１６に対応した取付孔２０だけを示す。）に対応している。
【００２１】
この実施形態では、パネル嵌合部１２における第１の係合溝１６形成部位が大きな肉厚となり、第２の係合溝１７形成部位がそれよりも小さな肉厚となっていることにより、第１の係合溝１６がパネル１９の大きな孔径の取付孔２０に対応し、第２の係合溝１７がそれよりも小さな孔径の取付孔に対応している。これにより、単一のグロメット１１でパネル１９の異なった複数の孔径の取付孔に対応することが可能となっている。
【００２２】
又、それぞれの係合溝１６，１７は、パネル１９への嵌合方向が異なっている。図示する形態では、第１の係合溝１６が図２の矢印Ｂ方向からパネル１９に嵌合し、第２の係合溝１７が矢印Ｂ方向と逆の矢印Ｃ方向からパネル１９に嵌合するようになっている。このように係合溝１６，１７の嵌合方向を逆方向とするため、それぞれの係合溝１６，１７は当接面２１，２３及び挟み凸部２２，２４の間に設けられている。
【００２３】
当接面２１，２３はパネル１９に当接する面であり、当接面２１は第１の係合溝１６側に、当接面２３は第２の係合溝１７側に設けられている。挟み凸部２２，２４は当接面２１，２３との間でパネル１９を挟み込む突起であり、挟み凸部２２が第１の係合溝１６側に、挟み凸部２４が第２の係合溝１７側に設けられている。それぞれの挟み凸部２２，２４は、対応した当接面２１，２３よりもパネル１９への嵌合方向側に位置している。すなわち、第１の係合溝１６側の挟み凸部２２は、その当接面２１よりも嵌合方向Ｂ側に位置し、第２の係合溝１７側の挟み凸部２４はその当接面２３よりも嵌合方向Ｃ側に位置している。
【００２４】
さらに、これらの挟み凸部２２，２４は対応した当接面２１，２３よりも低くなるように形成されており、これによりパネル１９の取付孔に容易に入り込むことが可能となっている。このように挟み凸部２２，２４がそれぞれの係合溝１６，１７の嵌合方向側に位置し、且つ当接面２２，２４よりも低くなっていることにより、第１の係合溝１６の場合は、矢印Ｂ方向からパネル１９に嵌合し、第２の係合溝１７の場合は、矢印Ｃ方向からパネル１９に嵌合するように上述した嵌合の方向性が決定されるものである。
【００２５】
なお、それぞれの挟み凸部２２，２４の頂部は、円弧状となっており、パネル１９の取付孔に円滑に滑り込むことが可能となっている。
【００２６】
それぞれの当接面２１，２３は、以上のように挟み凸部２２，２４が低く形成されることにより、挟み凸部２２，２４よりも相対的に高くなっている。又、当接面２１，２３はパネル１９の面に沿うように直立状に形成されている。これらによってパネル１９が挟み凸部２２，２４を乗り越えると、パネル１９が係合溝１６，１７に入り込んでパネル１９に嵌合する。この状態では、挟み凸部２２，２４がパネル１９を当接面２１，２３に押し付けるように作用するため、当接面２１，２３がパネル１９に密着し、これにより、パネル１９に強固に嵌合することができる。
【００２７】
さらに、パネル嵌合部１２には、それぞれの係合溝１６，１７に対応した斜面部２５，２６が形成されている。この内、斜面部２５は第１の係合溝１６に対応し、斜面部２６は第２の係合溝１７に対応している。それぞれの斜面部２５，２６は対応した電線差込口１３，１４及び挟み凸部２２，２４を連設すると共に、電線差込口１３，１４から係合溝１６，１７に向かって、すなわちそれぞれの嵌合方向Ｂ、Ｃに沿って高くなるように傾斜している。このように傾斜することにより、斜面部２５，２６はグロメット１１をパネルの取付孔に挿入させる際のガイドとなり、パネルへの取り付けを円滑に行うことができる。
【００２８】
電線差込口１３，１４は電線１８が差し込み及び引き出されるものであり、これにより電線１８が電線挿通孔１５を貫通する。電線差込口１３，１４は電線１８が差し込まれることにより、径が弾性的に幾分、大きくなって電線１８の外面に密着する。この密着によって防水及び防音を行うことができる。
【００２９】
電線差込口１３，１４は上述したパネル嵌合部１２の両側に一体的に設けられるが、パネル嵌合部１２よりも薄肉となっている。従って、電線差込口１３，１４は軽量となっていると共に、大きなフレキシブル性を有している。このため、電線差込口１３，１４が垂れ下がることがないと共に、電線１８に密着した状態のままで電線１８の屈曲、振動や変位に追従することができる。これにより、防水及び防音を確実に行うことができる。
【００３０】
かかる電線差込口１３，１４に対し、パネル嵌合部１２は提灯型となるように径方向に膨出しており、パネル嵌合部１２の内径は電線差込口１３，１４の内径よりも大きくなっている。このため、パネル嵌合部１２内には、挿通した電線１８との間の空間部分２７が形成される。この空間部分２７によって電線１８から伝達される振動を減衰させることができ、防音性が向上する。
【００３１】
次に、この実施形態のグロメット１１をパネル１９へ装着する手順を説明する。いずれか一方の電線差込口１３又は１４から電線１８を差し込んで電線１８を電線挿通孔１５を通し、他方の電線差込口１４又は１３から電線１８を引き出す。この状態でパネル１９の取付孔の孔径に対応した係合溝１６又は１７を、その嵌合方向Ｂ又はＣに沿って取付孔に挿入する。
【００３２】
以下、図３に示すように、第１の係合溝１６を取付孔２０に嵌合させる場合について説明する。この場合は矢印Ｂ方向に沿ってグロメット１１を取付孔２０内に挿入する。この挿入では、斜面部２５が取付孔２０の端面を摺動してガイドとなるため、円滑に挿入させることができる。そして、パネル１９は挟み凸部２２を乗り越えて第１の係合溝１５内に入り込む。このとき、第２の係合溝１７は嵌合方向Ｂの後側に位置しており、第２の係合溝１７を設けるための当接面２３及び挟み凸部２４はパネル１９と干渉することがない。このため、第２の係合溝１７が邪魔となることがなく、パネル１９への取り付け作業が向上する。
【００３３】
又、挟み凸部２２が当接面２１よりも低くなっていると共に、挟み凸部２２の頂部が円弧状となっているため、パネル１９が挟み凸部２２を円滑に乗り越えることができ、作業性がさらに向上する。
【００３４】
以上のようにしてパネル１９が第１の係合溝１５内に入り込むことにより、挟み凸部２２がパネル１９を当接面２１側に押し付けるため、当接面２１がパネル１９に当接すると共に、挟み凸部２２及び当接面２１によってパネル１９を挟み込み、第１の係合溝１５がパネル１９に嵌合する。この嵌合によってグロメット１１がパネル１９に固定される。
【００３５】
第２の係合溝１７を嵌合させる場合には、グロメット１１を矢印Ｃで示す方向からパネル１９の取付孔（図示省略）に挿入することにより、同様にパネル１９に第２の係合溝１７が嵌合するため、同様にグロメット１１をパネル１９に固定することができる。従って、単一のグロメット１１であっても、孔径の異なった複数の取付孔に対応させることができる。
【００３６】
かかるグロメット１１の固定状態では、係合溝１６，１７がパネル嵌合部１２の軸方向の略中央部分に設けられているため、どちらの係合溝１６，１７をパネル１９に嵌合させても、グロメット１１はパネル嵌合部１２の略中央部分でパネル１９に固定される。このため、グロメット１１はパネル１９を中心とした両側の重量バランスが良くなり、安定した固定を行うことができる。
【００３７】
又、電線差込口１３，１４がパネル嵌合部１２よりも薄肉となっており、軽量且つ大きなフレキシブル性を有している。このため、電線差込口１３，１４が垂れ下がることがないと共に、電線１８に密着した状態のままで電線１８の屈曲、振動や変位に追従することができる。これにより、グロメット１１は防水及び防音を確実に行うことができる。
【００３８】
さらに、パネル嵌合部１２内部の空間部分２７が振動を減衰させるため、防音力を増大させることができる。
【００３９】
【発明の効果】
以上説明したように、請求項１の発明によれば、２つの係合溝のパネルに対する嵌合方向が異なっているため、一方の係合溝をパネルに嵌合させる際に、他方の係合溝が邪魔となることがなく、パネルへの取り付け作業性が向上する。又、２つの係合溝がパネル嵌合部の略中央部分に設けられているため、グロメットは常にパネル嵌合部の略中央部分でパネルに固定され、重量バランスが良く、安定した固定を行うことができる。さらに、電線が差し込まれる両端の電線差込口は、パネル嵌合部よりも薄肉となっているため、電線に密着した状態のままで電線の屈曲、振動や変位に追従することができ、防水及び防音を確実に行うことができる。
また、係合溝を形成するための挟み凸部がパネルへの嵌合方向側で、しかも当接面よりも低くなるように設けられるため、パネルの取付孔に容易に入り込むことができ、パネルへの取り付け作業性が向上する。
【００４０】
請求項２の発明によれば、パネル嵌合部の内部に空間部分ができ、この空間部分が電線から伝達される振動を減衰させるため、防音性が向上する。
【００４２】
請求項３の発明によれば、電線差込口から係合溝にかけて設けた斜面部がパネルの取付孔に挿入させる際のガイドとなるため、パネルへの取り付けを円滑に行うことができる。
【図面の簡単な説明】
【図１】本発明の一実施形態のグロメットの正面図である。
【図２】図１のＡ−Ａ線における断面図である。
【図３】図２のＤ部拡大断面図である。
【図４】従来のグロメットの断面図である。
【図５】従来の別のグロメットの断面図である。
【符号の説明】
１１  グロメット
１２  パネル嵌合部
１３  １４  電線差込口
１５  電線挿通孔
１６  第１の係合溝
１７  第２の係合溝
１８  電線
１９  パネル
２０  取付孔
２１  ２３  当接面
２２  ２４  挟み凸部
２５  ２６  斜面部
【図１】
0003686255.tif 000002
【図２】
0003686255.tif 000003
【図３】
0003686255.tif 000004
【図４】
0003686255.tif 000005
【図５】
0003686255.tif 000006